(57)【要約】      （修正有）【課題】ティーバッグやお茶パックを使用しお茶を飲む場合、１回で捨てるのではなく数回使用でき、手軽で衛生的にお茶の旨味を損なうことなく保管できるティーバッグ用載置ケースを提供する。【解決手段】防水加工を施した紙製又は樹脂製の素材で、袋状、若しくは箱状の中空構造で、底面部に水漏れ防止対策を施し、上部開口部に切欠き係止部b３、b４を設け、ティーバッグd１の糸d２を絡ませて、袋開口部を閉じるように装備した。【選択図】図３
2015037468.tif 000002
【特許請求の範囲】
【請求項１】
防水加工を施した紙製又は樹脂製の材質で１枚のシート状からなる本体部で形成され
、前記本体部の中央部を折り曲げるための折り込み線を２か所設け、前記本体部上部
かつ下部にティーバッグの糸引っかけ部と切欠き係止部を設け、前記本体部の該２か
所の折り込み線で「コ」の字となるよう折り曲げて底面をつくり、該底面の両側に側
壁面を設け、該側壁面と接合する接合面からなり、接合面を本体部に接合させるよう
に構成したことを特徴とするティーバッグ載置ケース。
【請求項２】
本体部内側底面部に吸水シートを配し、本体部上部に設けた切欠き係止部に、お湯から引き出したティーバッグの糸を絡ませ固定し、ティーバッグから漏れ出た水分を、本体
部内側底面に配した吸水シートが吸水するよう構成したことを特徴とする請求項１に記載するティーバッグ載置ケース。
【請求項３】
本体部内側面に、水を通す物質でできた袋を、底面に接触しない程度で吊り下げ固定し、お湯から引き出したティーバッグを、袋の中に入れることで、水切りができ、袋から落ちた水分を、本体部底面に配した吸水シートが水分を吸収するよう構成したことを特徴
と請求項２に記載するティーバッグ載置ケース。
【請求項４】
本体部を２か所で折り曲げた端面と同等又は短い側壁面部で構成したことを特徴とするティーバッグ載置ケース。
【発明の詳細な説明】
【技術分野】
【０００１】
本発明は、ティーバッグ及びお茶パックを数回使用出来るよう、水分を切り水分の漏れ
を防ぐ処理と,埃付着防止対策を施したティーバッグ載置ケースに関するものである。
【背景技術】
【０００２】
従来から、ティーバッグに関する器具は、提供されている。
（特許文献１〜４）
【先行技術文献】
【特許文献】
【０００３】
【特許文献１】特開  ２０１２−１００８５４
【特許文献２】特開  ２０１１−１６７４８９
【特許文献３】特開  ２００８−２５４８０７
【特許文献４】特開  ２００８−９３３７２
【発明の概要】
【発明が解決しようとする課題】
【０００４】
１個の紅茶、緑茶等のティーバッグを数回使用し飲む場合、カップやティーポットに入れたままにすると濃いくなったり、苦くなったりと、本来のお茶の香り、旨味が損なわれるため、一旦、カップからティーバッグを引出、お皿などの容器に置いて使用する必要があった。お湯から引き出したティーバッグは多くの水分を含んでいる為、お皿に置いていたら変色したり、また、埃を防ぐためティッシュ等で覆う必要があり不便であった。本発明は、お湯から引き出したティーバッグを水切り、水漏れ、埃防止機能と、それ自体が自立できる構造を有し、お皿などの取り皿を必要とせず、誰でも最適なお茶が数回飲め、埃防止できるティーバッグ載置ケースを提供することを本発明の目的とするものである。
【課題を解決するための手段】
【０００５】
次に、上記課題を解決するために、その手段を説明する。
【０００６】
本発明の請求項１は、防水加工を施した紙製又は樹脂製の材質で１枚のシート状からなる本体部で形成され、前記本体部の中央部を折り曲げるための折り込み線を２か所設け、前記本体部上部かつ下部にティーバッグ糸引っかけ部と切欠き係止部を設け、前記本体部の該２か所の折り込み線で「コ」の字となるよう折り曲げて底面をつくり、該底面の両側に側壁面を設け該側壁面と接合する接合面からなり、接合面を本体部に接合させるように構成したことを特徴とするティーバッグ載置ケース。
【０００７】
本発明の請求項２は、本体部内側底面部に吸水シートを配し、本体部上部に設けた切欠き係止部に、お湯から引き出したティーバッグの糸を絡ませ固定し、ティーバッグから漏れ出た水分を、本体部内側底面に配した吸水シートが吸水するよう構成したことを特徴とする請求項１に記載するティーバッグ載置ケース。
【０００８】
本発明の請求項３は、本体部内側面に、水を通す物質でできた袋を、底面に接触しない程度の高さで固定し、お湯から引き出したティーバッグを、袋の中に入れることで、水
切りができ、袋から落ちた水分を、本体部底面に配した吸水シートが水分を吸収するこ
とを特徴とする請求項２に記載のティーバッグ載置ケース。
【０００９】
本発明の請求項４は、本体部を２か所で折り曲げた端面と同等又は短い側壁面部で構成したことを特徴とするティーバッグ載置ケース。
【発明の効果】
【００１０】
本発明は以上述べたように構成されているので、以下に記載されるような効果を奏す。
【００１１】
１個のティーバッグを１回だけで捨てるのではなく、水切りした状態で保てる為、風味を損なうことなく何回も味わえる。
【００１２】
ティーバッグ載置ケースの構造が簡単なため、安価で提供できる。
【００１３】
ケース上部に切りかけの係止部を設け、ティーバッグの糸を絡ませることで開口部が閉まり、埃防止となり衛生的である。
【００１４】
ケース内側底面に吸水シートを配しているため水分の漏れを防ぐ効果がある。
【００１５】
取り皿等を必要としないため利便性が高まる。
【００１６】
糸引っかけ部と係止部を本体部上部両片端に近く配しているため、ティーバッグは勿論のこと、お茶パックなどの大きなサイズでも対応ができる。
【図面の簡単な説明】
【００１７】
【図１】ティーバッグ載置ケースの展開図である。
【図２】ティーバッグ載置ケースを組み立てた斜視図である。
【図３】ティーバッグ載置ケース底面に吸水シートを置き、ティーバッグの糸を絡ませ、開口部を閉じてティーバッグを保管している斜視図である。
【図４】ティーバッグ載置ケース内側面に水を通す袋を、底面に接触しない程度で吊り下げ固定し、底面には吸水シートを置き、ティーバッグの糸を絡ませ、開              口部を閉じてティーバッグを保管している斜視図である。
【発明を実施するための形態】
【００１８】
次は、この発明の実施の形態について説明する。
【００１９】
図１のティーバッグ載置ケースの構成を説明する。本体部中央部２か所に、底面を形成する折り 込み線f1、f2を、本体部上部かつ下部にティーバッグの糸引っかけ部c1,c2,c3,c4と切欠き係止部b1,b2,b3,b4を、本体部中央部底面両側面に側壁面３,３aと、それを接合する接合面a1,a2,a3,a4を設け、１枚のシート状の構造にしたものが、ティーバッグ載置ケースである。
【００２０】
図２のティーバッグ載置ケースの構成の説明をする。本体部中央部に設けた折り込み線f1,f2、側壁面折り込み線e1,e2,e3,e4で折り込み、接合面a1,a2,a3,a4を接着させ「コ」の字の本体部となる構造にしたものが、ティーバッグ載置ケースである。
【００２１】
図３のティーバッグ載置ケースの構成の説明をする。組み立てた本体部底面２に、吸水シートＡを配し、お湯から引き揚げたティーバッグd1を上部切欠き係止部b1,b2,b3,b4に、ティーバッグの糸d2を絡ませ、開口部を閉じる構造にしたものが、ティーバッグ載置ケースである。
【００２２】
図４のティーバッグ載置ケースの構成の説明をする。本体部内側に水を通す素材でできた袋Ｂを、底面に接触しない程度で吊り下げ固定し、底面には吸水シートＡを配し、お湯から引き出したティーバッグを袋の中に入れ、こぼれ落ちた水分を底面に配した吸水シートが吸水し、埃防止の為、上部切欠き係止部b1,b2,b3,b4にティーバッグの糸を絡ませ、開口部を閉じる構造にしたものが、ティーバッグ載置ケースである。
【符号の説明】
【００２３】
１      本体部
２      底面部
３      側壁面部
３a      側壁面部
Ａ      吸水シート
Ｂ      袋
Ｃ      本体部端面
a1      接合面
a2      接合面
a3      接合面
a4      接合面
b1      切欠き係止部
b2      切欠き係止部
b3      切欠き係止部
b4      切欠き係止部
c1      糸引っかけ部
c2      糸引っかけ部
c3      糸引っかけ部
c4      糸引っかけ部
d1      ティーバッグ
d2      糸
e1      側壁面折り込み線
e2      側壁面折り込み線
e3      側壁面折り込み線
e4      側壁面折り込み線
f1      中央部折り込み線
f2      中央部折り込み線
【図１】
2015037468.tif 000003
【図２】
2015037468.tif 000004
【図３】
2015037468.tif 000005
【図４】
2015037468.tif 000006